(57)【要約】【課題】基板が外周面上に配置される筒部の光軸方向両側に大きな外径を持つ部分を有する場合でも容易に基板を配置し、大きな実装面積を確保する。【解決手段】光学機器は、レンズ鏡筒５の一部を構成する筒部材２２２と、それぞれ基板面上に電気回路が形成され、筒部材の外周面上に、該基板面がレンズ鏡筒の光軸方向に直交するように配置される第１の基板Ａ及び第２の基板Ｂとを有する。各基板は、光軸方向に直交する方向に向かって開口する開口部Ｕを有する。筒部材は、第１及び第２の基板が外周面上に配置される筒部２２２ｃの光軸方向両側に、各基板の開口部の幅よりも大きな外径を持つ部分２２２ｄ，２２２ｅを有する。第１及び第２の基板の開口部の開口方向が互いに異なり、第１及び第２の基板の少なくとも一部同士が光軸方向において互いに重なる。【選択図】図４
2010091885.tif 000002
【特許請求の範囲】
【請求項１】
レンズ鏡筒の一部を構成する筒部材と、
それぞれ基板面上に電気回路が形成され、前記筒部材の外周面上に、該基板面が前記レンズ鏡筒の光軸方向に直交するように配置される第１の基板及び第２の基板とを有し、
前記各基板は、光軸方向に直交する方向に向かって開口する開口部を有し、
前記筒部材は、前記第１及び第２の基板が外周面上に配置される筒部の光軸方向両側に、前記開口部の幅よりも大きな外径を持つ部分を有し、
前記第１及び第２の基板の前記開口部の開口方向が互いに異なり、かつ前記第１及び第２の基板の少なくとも一部同士が光軸方向において互いに重なっていることを特徴とする光学機器。
【請求項２】
前記開口部の内側に、光軸方向に直交する方向から挿入された前記筒部が配置されていることを特徴とする請求項１に記載の光学機器。
【請求項３】
前記各基板にコネクタが設けられており、
前記第１及び第２の基板が、前記コネクタを結合させることにより接続されていることを特徴とする請求項１又は２に記載の光学機器。
【請求項４】
前記筒部の外周面に、前記各基板の内周部に当接して該基板の回転を阻止する平面部が形成されていることを特徴とする請求項１から３のいずれか１つに記載の光学機器。
【発明の詳細な説明】
【技術分野】
【０００１】
本発明は、デジタルスチルカメラ、ビデオカメラ、交換レンズ等の光学機器に関し、特にレンズ鏡筒の一部を構成する筒部材の外周面上に電気回路基板が配置された光学機器に関する。
【背景技術】
【０００２】
光学機器のレンズ鏡筒の内部には、フォーカスレンズ、変倍レンズ、絞り、防振ユニット等を駆動するアクチュエータや、レンズ鏡筒の状態（焦点距離や防振レンズの位置等）を検出するセンサ等が収容されている。さらに、レンズ鏡筒の内部には、アクチュエータを制御する制御回路（例えば、ＣＰＵ及びその周辺回路を構成する電気素子）を実装した制御基板（例えば、ハード基板）や、該制御基板とアクチュエータ及びセンサとを接続するフレキシブル基板が配置されている。
【０００３】
レンズ鏡筒内に制御基板を配置する具体的な方法としては、リング形状（ドーナツ形状）に形成され、基板面が光軸方向に直交するように立てた制御基板を、その内周をレンズ保持筒等の筒部材が通るように、該筒部材の外周面上に配置する方法がある。
【０００４】
また、特許文献１には、電気素子を実装したフレキシブルプリント基板を、レンズ保持枠の外周面上に周方向に複数形成した平面部に取り付ける構成が開示されている。
【特許文献１】特開平７−１５１９４８号公報
【発明の開示】
【発明が解決しようとする課題】
【０００５】
しかしながら、特許文献１にて開示された構成では、レンズ保持枠における複数の平面部を形成する部分が光軸方向にある程度の長さを有さなければ、フレキシブルプリント基板の幅が狭くなり、必要な実装面積を確保することが難しい。また、平面部とその外周に存在する筒部材との間の空間の径方向高さが小さいと、高さが大きい電気素子の実装が制限される。
【０００６】
また、リング形状の基板を用いる方法では、筒部材のうち基板が外周面上に配置される筒部の光軸方向両側に、基板の内径よりも大きい外径を持つ部分がある場合には、基板を筒部の外周面上に配置することができない。基板の内径を大きくすると、基板の実装面積が小さくなる。
【０００７】
本発明は、筒部材が、基板が外周面上に配置される筒部の光軸方向両側に大きな外径を持つ部分を有する場合でも容易に基板を配置することができ、大きな実装面積を確保することができるようにした光学機器を提供する。
【課題を解決するための手段】
【０００８】
本発明の一側面としての光学機器は、レンズ鏡筒の一部を構成する筒部材と、それぞれ基板面上に電気回路が形成され、筒部材の外周面上に、該基板面がレンズ鏡筒の光軸方向に直交するように配置される第１の基板及び第２の基板とを有する。各基板は、光軸方向に直交する方向に向かって開口する開口部を有する。筒部材は、第１及び第２の基板が外周面上に配置される筒部の光軸方向両側に、各基板の開口部の幅よりも大きな外径を持つ部分を有する。そして、第１及び第２の基板の開口部の開口方向が互いに異なり、かつ第１及び第２の基板の少なくとも一部同士が光軸方向において互いに重なっていることを特徴とする。
【発明の効果】
【０００９】
本発明によれば、第１の基板及び第２の基板を光軸方向に直交する方向から筒部の外周面上に組み付けることができる。このため、筒部材が筒部の光軸方向両側に各基板の開口部の幅よりも大きな外径を持つ部分を有する場合でも、第１の基板及び第２の基板を容易に筒部の外周面上に配置することができる。しかも、第１及び第２の基板の開口部の開口方向を互いに異ならせ、第１及び第２の基板の少なくとも一部同士を光軸方向において互いに重なられているで、１つのリング状の基板を用いる場合に比べて実装面積を大きく確保することができる。
【発明を実施するための最良の形態】
【００１０】
以下、本発明の好ましい実施例について図面を参照しながら説明する。
【００１１】
図１には、本発明の実施例である光学機器としての交換レンズと、該交換レンズが装着された一眼レフデジタルスチルカメラ（撮像装置）の概略構成を示している。１は一眼レフデジタルスチルカメラ（以下、カメラという）であり、２は交換レンズ内に設けられたズーム光学系である。ズーム光学系２は、後述する複数のレンズユニットを有する。３はズーム光学系２に含まれる防振レンズユニット１２を、ズーム光学系２の光軸４に直交する方向に駆動する防振駆動部である。５はズーム光学系２を収容するレンズ鏡筒である。レンズ鏡筒５とズーム光学系２によりズームレンズ装置としての交換レンズが構成される。交換レンズは、カメラ１に対して着脱が可能である。
【００１２】
カメラ１において、６はズーム光学系２により形成された被写体像を光電変換するＣＣＤセンサやＣＭＯＳセンサ等の撮像素子である。７は撮像素子６からの出力に基づいて生成された画像データ等を記憶するメモリである。８は手振れ等のカメラ振れを検出する振れセンサであり、９はズーム光学系２に含まれるフォーカスレンズユニットを駆動するフォーカス駆動部である。
【００１３】
１０はカメラ１（及び交換レンズ）の電源であり、１１はレリーズボタンである。１３はクイックリターンミラーであり、１４はファインダ光学系である。
【００１４】
図２には、カメラ１及び交換レンズの電気的構成を示している。カメラ１は、撮像系、画像処理系、記録再生系及び制御系を有する。
【００１５】
撮像系は、撮像素子６により構成されている。画像処理系は、Ａ／Ｄ変換器２０と画像処理回路２１とを含む。記録再生系は、記録処理回路２３とメモリ２４とを含む。制御系は、カメラシステム制御回路２５、ＡＦセンサ２６、ＡＥセンサ２７、振れセンサ８及び操作検出回路２９を含む。交換レンズは、レンズシステム制御回路３０を含む。
【００１６】
画像処理回路２１は、Ａ／Ｄ変換器２０を介して撮像素子６から受けた出力信号に対してホワイトバランス、ガンマ補正、補間演算等の各種処理を施して画像データを生成する。記録処理回路２３は、メモリ２４への画像データの記録処理を行うとともに、液晶モニタ等により構成される表示部２２に出力する画像を生成する。
【００１７】
操作検出回路２９は、レリーズボタン１１等の操作部材の操作を検出し、操作検出信号をカメラシステム制御回路２５に送る。カメラシステム制御回路２５は、操作検出信号に応じてカメラ１及び交換レンズ内の各部を制御する。
【００１８】
ＡＦセンサ２６は、交換レンズのピント状態を検出する。また、ＡＥセンサ２７は、被写体の輝度を検出する。振れセンサ８は、カメラ振れを検出する。カメラシステム制御回路２５は、ＡＦセンサ２６、ＡＥセンサ２７及び振れセンサ８からの信号に基づいて、フォーカシング、絞り及び防振動作を制御するための信号をレンズシステム制御回路３０に出力する。レンズシステム制御回路３０は、カメラシステム制御回路２５からの信号に応じて、フォーカス駆動部９、絞り駆動部（図示せず）及び防振駆動部３を制御する。
【００１９】
次に、図３を用いて、交換レンズの構成について説明する。図３は、交換レンズを、光軸４を通る面で切断したときの断面構造を示している。
【００２０】
交換レンズは、カメラ１に着脱可能に装着するためのマウント２０１を有する。マウント２０１には、カメラ１と交換レンズ間で通信のためのコネクタ２０２が設けられている。マウント２０１は、ベース筒２０３にネジによって取り付けられている。ベース筒２０３には、中間筒２０４がネジによって固定されている。
【００２１】
中間筒２０４には、案内筒２０５にネジによって取り付けられている。また、中間筒２０４には、外装環２０６がネジによって取り付けられている。
【００２２】
案内筒２０５における最も物体側（図の左側）には、第１レンズユニットＬ１を保持した第１レンズ保持筒２０７が保持されている。
【００２３】
案内筒２０５の内側には、メインカム筒２０８が配置されている。メインカム筒２０８には、不図示のカムフォロアがネジにより取り付けられている。該カムフォロアは、案内筒２０５の内周に周方向に延びるように形成された不図示の溝部に係合している。このため、メインカム筒２０８は、案内筒２０５に対して光軸方向には移動せず（すなわち光軸方向における定位置にて）、光軸回りで回転可能である。メインカム筒２０８には、不図示の第４カム溝部が形成されている。
【００２４】
メインカム筒２０８の内側には、サブカム筒２０９が配置されている。サブカム筒２０９には、不図示のカムフォロアがネジにより取り付けられている。このカムフォロアは、メインカム筒２０８に光軸方向に延びるように設けられた不図示の直進溝部と案内筒２０５に設けられた不図示のサブカム溝部とに係合している。このため、メインカム筒２０８が回転すると、サブカム筒２０９はメインカム筒２０８とともに光軸回りで回転し、かつメインカム筒２０８に対して光軸方向に移動する。サブカム筒２０９には、不図示のフォーカスカム溝部が設けられている。
【００２５】
サブカム筒２０９の内側には、第２レンズユニットL２を保持した第２レンズ保持筒２１２が配置されている。第２レンズ保持筒２１２には不図示のカムフォロアがビスによって取り付けられている。このカムフォロアは、サブカム筒２０９に設けられたフォーカスカム溝部に係合している。このため、サブカム筒２０９が光軸回りで回転しながら光軸方向に移動すると、第２レンズ保持筒２１２は光軸方向に移動する。
【００２６】
また、サブカム筒２０９の内側には、第２レンズユニットＬ２に対して光軸方向（像側）にて隣り合う第３レンズユニットＬ３を保持した第３レンズ保持筒２１３が配置されている。第３レンズ保持筒２１３は不図示のカムフォロアを有し、このカムフォロアは、サブカム筒２０９に設けられた不図示の第３カム溝部に係合している。このため、サブカム筒２０９が光軸回りで回転しながら光軸方向に移動すると、第３レンズ保持筒２１３は光軸方向に移動する。
【００２７】
案内筒２０５には、不図示の直進ガイドキーが固定されている。直進ガイドキーは、第３レンズ保持筒２１３に形成された不図示の直進ガイドキー溝部に係合している。第３レン保持筒２１３には、光軸方向に移動しながら回転するサブカム筒２０９との摩擦によって回転力を受けるが、直進ガイドキーが第３レンズ保持筒２１３の直進ガイドキー溝部に係合することによって、第３レンズ保持筒２１３の回転が阻止される。
【００２８】
第４レンズユニットＬ４を保持した第４レンズ保持筒２１4の外周には、不図示のカムフォロアがネジにより取り付けられている。このカムフォロアは、メインカム筒２０８に設けられた第４カム溝部と、案内筒２０５の内周に設けられた不図示の直進溝部に係合している。このため、メインカム筒２０８が光軸回りで回転すると、第４レンズ保持筒２１4が光軸方向に移動する。
【００２９】
中間筒２０４の外側には、ズーム操作環（ズーム操作部材）２１５と、該ズーム操作環２１５にネジにより取り付けられたギアリング２１６と、後述するズームレバーが取り付けられ、中間筒２０４の外周で回転可能なギアリング２１７とが配置されている。ズーム操作環２１５、ギアリング２１６及びギアリング２１７は、中間筒２０４に対して光軸方向の定位置にて光軸回りで回転可能である。また、ギアリング２１６とギアリング２１７との間には、転動する不図示のギアユニットが配置されている。ギアユニットは、ギアリング２１６の回転を逆方向回転としてギアリング２１７に伝達する。
【００３０】
ギアリング２１７には、ズームレバー２１８の一端がネジにより取り付けられている。ズームレバー２１８の他端は、メインカム筒２０８に光軸回り方向において係合している。
【００３１】
ズーム操作環２１５が回転操作されると、その回転力は、ギアリング２１６、ギアユニット、ギアリング２１７及びズームレバー２１８を介してメインカム筒２０８に伝達され、これを回転させる。
【００３２】
案内筒２０５の外側には、フォーカス操作環（フォーカス操作部材）２１９が配置されている。フォーカス操作環２１９の内周に設けられた溝部には、案内筒２０５の外周にネジにより取り付けられたフォロア２２０が係合している。このため、フォーカス操作環２１９は、案内筒２０５の外側で光軸方向の定位置にて光軸回りで回転可能である。
【００３３】
フォーカス操作環２１９は、フォーカス駆動ユニット２Ａ内の定位置回転リング２Ａ１と結合している。このため、フォーカス操作環２１９の回転力をフォーカス駆動ユニット２Ａに伝達することができる。
【００３４】
フォーカス駆動ユニット２Ａには、不図示の差分動作機構が内蔵されている。差分動作機構から出力される回転力は、フォーカスキー（不図示）を介して第２レンズ保持筒２１２に伝達され、これを回転させる。フォーカスキー（不図示）は、第２レンズ保持筒２１２の不図示のフォーカスキー溝部に光軸回り方向において係合している。
【００３５】
フォーカス操作環２１９が回転操作された場合又はカメラ１からのオートフォーカス信号に応じてフォーカス駆動ユニット２Ａ内のアクチュエータが動作した場合、回転力がフォーカス駆動ユニット２Ａを介して第２レンズ保持筒２１２に伝達される。第２レンズ保持筒２１２は、回転しながら光軸方向に移動する。
【００３６】
第４レンズ保持筒２１７の像側には、電動絞りユニット２Ｃが配置されている。電動絞りユニット２Ｃの像側には、第５レンズユニットＬ５を保持した第５レンズ保持筒２２１が配置されている。第５レンズ保持筒２２１は、中間筒２０４の内側に配置されている。第５レンズ保持筒２２１の外周にはフォロア（図示せず）が取り付けられており、該フォロアは中間筒２０４の内周に形成された穴部（図示せず）に係合している。このため、第５レンズ保持筒２２１は、中間筒２０４に対して光軸方向の定位置にて保持される。
【００３７】
第６レンズユニットＬ６は、図１及び図２に示した防振レンズユニット１２に相当する。防振ユニット２Ｂは、第６レンズユニットＬ６を保持する第６レンズ保持筒と、該第６レンズ保持筒を光軸に直交し、かつ互いに直交する２方向に移動させるための２組の防振アクチュエータ（マグネット及びコイル）とを有する。また、防振ユニット２Ｂは、第６レンズ保持筒の位置を検出する位置検出素子と、該位置検出素子からの信号を用いて防振アクチュエータを駆動する駆動基板を含む。防振アクチュエータ、位置検出素子及び駆動基板により、図１及び図２中の防振駆動部３が構成される。
【００３８】
また、防振ユニット２Ｂの外周には、中間筒２０４の内周に形成された穴部（図示せず）に係合するカムフォロア（図示せず）が取り付けられている。これにより、防振ユニット２Ｂは、中間筒２０４に対して光軸方向の定位置にて保持される。
【００３９】
中間筒２０４の像側の端部には、最も像側のレンズユニットである第７レンズユニットＬ７を保持した第７レンズ保持筒２２２がネジによって固定されている。第７レンズ保持筒２２２には、図１及び図２に示した振れセンサ８に相当する角速度センサ（ジャイロセンサ）が取り付けられている。
【００４０】
また、第７レンズ保持筒２２２の外周面上には、基板面上に図２に示したレンズシステム制御回路（電気回路）３０が形成された２枚の電気回路基板としての制御基板（第１の基板及び第２の基板）Ａ，Ｂが取り付けられている。
【００４１】
次に、図３、図４及び図５を用いて、第７レンズ保持筒２２２の外周面上への２枚の制御基板（以下、単に基板という）Ａ，Ｂの取り付け方法について説明する。図４は第７レンズ保持筒２２２の周辺を分解して示している。図５は、図４とは別の取り付け方法を示し、図３に示す基板Ａ，Ｂの位置での断面を示している。
【００４２】
第７レンズ保持筒（レンズ鏡筒の一部を構成する筒部材）２２２は、基板Ａ，Ｂが外周面上に配置される筒部２２２ｃと、該筒部２２２ｃの光軸方向両側である物体側及び像側にそれぞれ設けられたフランジ部２２２ｄ及び遮光リング部２２２ｅとを有する。なお、図４では、遮光リング部２２２ｅの図示を省略している。フランジ部２２２ｄ及び遮光リング部２２２ｅは、筒部２２２ｃに比べて大きな外径を持つ部分である。筒部２２２ｃの内側には、第７レンズユニットＬ７が保持されている。
【００４３】
フランジ部２２２ｄは、第７レンズ保持筒２２２を、中間筒２０４の像側の端部にネジで取り付けるための部分である。遮光リング部２２２ｅは、その内側にて第７レンズユニットＬ７のうち最も像側のレンズエレメントＬ２３を保持し、かつマウント２０１側からレンズ鏡筒内に外光が入射してゴーストが発生するのを防止するための部分である。
【００４４】
基板Ａ，Ｂは、それぞれの基板面がレンズ鏡筒の光軸方向に直交するように配置される。基板面上には、レンズシステム制御回路３０を構成するＣＰＵ、トランジスタ、コンデンサ、抵抗素子、コネクタ等の電気素子が実装されるとともにこれらの電気素子を接続するプリント配線が形成されている。
【００４５】
また、各基板の外周部は円弧形状（Ｃ字形状）を有し、内周部にはＵ字形状の開口部Ｕが形成されている。開口部Ｕは、光軸方向に直交する方向に向かって開口する。言い換えれば、Ｕ字形状の開放部分（以下、Ｕ開放部という）が、基板の外周部にて開口している。
【００４６】
開口部Ｕ（Ｕ開放部）の幅は、フランジ部２２２ｄ及び遮光リング部２２２ｅの外径よりも小さく設定されている。このため、基板Ａ，Ｂを筒部２２２ｃに対して光軸方向から組み付けることはできない。
【００４７】
筒部２２２ｃの外周面には、基板Ａ，Ｂの内周部が係合する（挿入される）溝部２２２ａ，２２２ｂが形成されている。各基板は、筒部２２２ｃの外周面に対して光軸方向に直交する方向から組み付けられる。このとき、基板側から見ると、筒部２２２ｃはＵ開放部を通って基板の内周部に挿入されることになる。そして、筒部２２２ｃの外周面に組み付けられた基板Ａ，Ｂの内周部はそれぞれ、溝部２２２ａ，２２２ｂに係合する。こうして、各基板の開口部（内周部）の内側に、光軸方向に直交する方向から挿入された筒部２２２ｃが配置される。
【００４８】
また、基板Ａ，Ｂの開口部Ｕの開口方向は互いに異なっている。つまり、筒部２２２ｃの周方向において、基板Ａ，ＢのＵ開放部が互いに異なる位置に配置される。このことは、基板Ａ，Ｂの筒部２２２ｃに対する組み付け方向（挿入方向）が互いに異なることを意味する。
【００４９】
基板Ａ，Ｂの開口部Ｕの開口方向（組み付け方向）がなす角度をここでは相対角という。図４に示す例では、相対角が１８０度である。また、図５に示す別の例においては、相対角が８０度である。
【００５０】
さらに、図６に示すように、光軸方向において、筒部２２２ｃの外周面に組み付けられた基板Ａ，Ｂの少なくとも一部同士が互いに重なっている。図中にＣで示すハッチング領域が、図４の例において光軸方向にて重なる領域である。図５に示す例では、該重なる領域の面積がより大きくなる。
【００５１】
このように、基板Ａ，Ｂの少なくとも一部同士が光軸方向において互いに重なることにより、１つのリング形状の基板を用いる場合に比べて、電気素子を実装可能な実装面積を大きく確保することができる。
【００５２】
なお、基板Ａ，Ｂの少なくとも一部同士が「光軸方向において互いに重なる」とは、光軸方向において互いに離れていてもよく、光軸方向において互いに接している場合に限られない。
【００５３】
また、筒部２２２ｃに形成された溝部２２２ａ，２２２ｂのうち、基板Ａ，Ｂの内周部の直線部分が係合する部分の底面を平面部２２２ｆ，２２２ｇとして形成するとよい。該平面部２２２ｆ，２２２ｇと基板Ａ，Ｂの内周部の直線部分とが当接することで、各基板の筒部２２２ｃに対する光軸回りでの回転を阻止し、各基板を安定的に保持することができる。
【００５４】
基板Ａにおける基板Ｂ側の基板面と基板Ｂにおける基板Ａ側の基板面にはそれぞれ、雄コネクタ２０５ａ及び雌コネクタ２０５ｂが実装されている。基板Ａ，Ｂを筒部２２２ｃの外周面に組み付けた後、雄コネクタ２０５ａと雌コネクタ２０５ｂを結合させる。これにより、基板Ａ，Ｂが一体的に接続され、１つの基板として機能する。
【００５５】
基板Ａ，Ｂは、筒部２２２ｃに対する組み付け方向が互いに異なるため、コネクタコネクタ２０５ａ，２０５ｂが結合すると、各基板の組み付け方向とは反対方向への移動ができなくなり、各基板の筒部２２２ｃ上からの脱落が防止される。このような脱落防止効果を考慮すると、上述した相対角は８０度から１８０度であることが好ましい。
【００５６】
以上説明した各実施例は代表的な例にすぎず、本発明の実施に際しては、各実施例に対して種々の変形や変更が可能である。
【００５７】
例えば、上記実施例では、２枚の電気回路基板を筒部材の外周面上に配置した場合について説明したが、３枚以上の電気回路基板を互いに開口方向を異ならせて配置してもよい。
【００５８】
また、上記実施例では、交換レンズについて説明したが、本発明は、レンズ鏡筒を一体に有するデジタルスチルカメラやビデオカメラ等の光学機器にも適用することができる。
【図面の簡単な説明】
【００５９】
【図１】本発明の実施例である交換レンズ及びこれを装着したカメラの概略構成を示す図。
【図２】図１に示した交換レンズ及びカメラの電気的構成を示すブロック図。
【図３】実施例の交換レンズの断面図。
【図４】実施例の交換レンズの一部を示す分解斜視図。
【図５】図３における基板Ａ，Ｂの位置での断面を示す図。
【図６】図４に示した交換レンズの一部を光軸方向から見た図。
【符号の説明】
【００６０】
１  カメラ
２  ズーム光学系
５  レンズ鏡筒
６  撮像素子
８  振れセンサ
１２  補正レンズユニット
Ｌ１〜Ｌ７  第１〜第７レンズユニット
２Ａ  フォーカス駆動ユニット
２Ｂ    防振ユニット
２Ｃ    電動絞りユニット
２０３  ベース筒
２０４  中間筒
２０５  案内筒
２０７  第１レンズ保持筒
２０８  メインカム筒
２０９  サブカム筒
２１２  第２レンズ保持筒
２１３  第３レンズ保持筒
２１７  第４レンズ保持筒
２１５  ズーム操作環
２１９  フォーカス操作環
２２１  第５レンズ保持筒
２２２  第７レンズ保持筒
２２２ｃ  筒部
Ａ，Ｂ  制御基板
Ｕ  開口部
【図１】
2010091885.tif 000003
【図２】
2010091885.tif 000004
【図３】
2010091885.tif 000005
【図４】
2010091885.tif 000006
【図５】
2010091885.tif 000007
【図６】
2010091885.tif 000008